(57)【要約】【課題】暖房運転状態を遠くからでも一目で確認でき、かつ擬似的な燃焼炎を照明装置を用いて創出し、視覚的な暖かさを与える。【解決手段】燃焼室の前面に仕切り板１１を介して照明ユニット１３を設け、照明ユニット１３の下部には発光体１０をその照明が上方に照らされるように配置し、前記照明ユニット１３の前面に前記仕切り板１１から一定空間を設け取付けられた半透光性部材１２を備え、発光体１０が発光した光りが半透光性部材１２を通過すると拡散して炎のように見えるようにしたものである。【選択図】  図１
2004360992.tif 000002
【特許請求の範囲】
【請求項１】
バーナーと、前記バーナーからの燃焼ガスと外部より取り込んだ空気を混合する燃焼室と、温風を送出するための対流用ファンと、温風を吹出す温風吹出し口と、燃焼用の空気を取り込む対流用フィルターとで構成された温風暖房部と、前記燃焼室の前面に仕切り板を介して照明ユニットを設け、前記照明ユニットには、前面に前記仕切り板から一定空間を有して半透光性部材を取り付けるとともに、照明が上方に照らされるように配置した複数の発光体と、前記複数の発光体の光を反射する反射板と、前記半透光性部材と複数の発光体との間には、前記発光体の前面方向の光を遮蔽する遮蔽板を設けたことを特徴とする温風暖房装置。
【請求項２】
半透光性部材の裏面に模様をつけたことを特徴とする請求項１記載の温風暖房装置。
【請求項３】
発光体は略水平方向に複数個配置し、中央部を密に、側面に向って疎になるように配置したことを特徴とする請求項１又は２記載の温風暖房装置。
【請求項４】
複数の発光体で構成する発光ユニットを複数個配列し、中央部に位置する発光ユニットを、他の発光ユニットより高く配置したことを特徴とする請求項１〜３のいずれか１項記載の温風暖房装置。
【請求項５】
照明ユニットを構成する複数の発光体の配置を二分割するとともに、中央部で上方に凸状につき合わせることにより、前記複数の発光体の配置を略山型状に配置したことを特徴とした請求項１又は２記載の温風暖房装置。
【請求項６】
照明ユニットを構成する複数の発光体の配置を二分割するとともに中央部でつき合わせ、前記複数の発光体の配置を略Ｖ字型に配置したことを特徴とした請求項１又は２記載の温風暖房装置。
【発明の詳細な説明】
【０００１】
【発明の属する技術分野】
本発明は、温風を吹き出して室内を暖房する温風暖房機に関するものである。
【０００２】
【従来の技術】
従来この種の温風暖房機としては図７に示すように、例えば表示器を突出して設け、機器正面・両側面・上面より運転状態が発光により確認できる構成とした灯油を燃料とした温風暖房機がある。
【０００３】
図７において、１は温風暖房機本体で、２は前面上部に備えられた操作部、３は温風を吹き出すルーバー４を取り付けた温風吹き出し口、５は背面の温風取り入れ口６に取り付けられた対流用ファン、９はバーナーヘッド部１０を突出して設けられバーナー部で、１１はバーナーヘッド１０を囲み燃焼空間を形成する燃焼筒である。
【０００４】
３３は操作部２と温風吹き出し口３との間の中央部に設けらたカラー表示部で、赤色及び緑色の２色発光する発光部３４と、この発光部３４の光をカラー表示部３３の周囲に拡散させる拡散レンズ３５とにより構成されている（例えば、特許文献１参照）。
【０００５】
【特許文献１】
特開２００１−３３６８２９号公報（第２〜３Ｐ、第２図）
【０００６】
【発明が解決しようとする課題】
しかしながら上記従来の構成では、表示器を突出して設け、機器正面・両側面・上面より運転状態が発光により確認できるものであるが、表示器が小さいため、遠くからはその運転状態がはっきりと確認できないという課題を有していた。特に、ガスを燃料とした温風暖房機は運転音が静かになり、弱燃焼の場合は騒音が２２ｄｂと低く、燃焼しているかどうか一目で確認できないため、消し忘れや、燃焼しっぱなしの状態で外出するといったことが起こっている。
【０００７】
本発明は上記従来の課題を解決するもので、遠くからでも一目で機器の運転状態が確認でき、かつ、燃焼中に照明ユニット部により自然の炎に近い光を提供することで、視覚的にも暖かさを感じる温風暖房機を提供することを目的としている。
【０００８】
【課題を解決するための手段】
上記目的を達成するため本発明の温風暖房機は、バーナーと、前記バーナーからの燃焼ガスと外部より取り込んだ空気を混合する燃焼室と、温風を送出するための対流用ファンと、温風を吹出す温風吹出し口と、燃焼用の空気を取り込む対流用フィルターとで構成された温風暖房部と、前記燃焼室の前面に仕切り板を介して照明ユニットを設け、前記照明ユニットには、前面に前記仕切り板から一定空間を有して半透光性部材を取り付けるとともに、照明が上方に照らされるように配置した複数の発光体と、前記複数の発光体の光を反射する反射板と、前記半透光性部材と複数の発光体との間には、前記発光体の前面方向の光を遮蔽する遮蔽板を設けた構成としてある。
【０００９】
上記発明によれば、機器前面の広い面積で発光させることができ、遠くからでも一目で運転状態が確認できる。また、複数の発光体を照明ユニットの下部から上方へ向かって発光させ、反射板により半透光性部材を介し照明することにより、実際の炎に極めて近い形態で表現することが可能となり、暖かさを視覚で感じることができる。
【００１０】
【発明の実施の形態】
請求項１記載の発明は、バーナーと、前記バーナーからの燃焼ガスと外部より取り込んだ空気を混合する燃焼室と、温風を送出するための対流用ファンと、温風を吹出す温風吹出し口と、燃焼用の空気を取り込む対流用フィルターとで構成された温風暖房部と、前記燃焼室の前面に仕切り板を介して照明ユニットを設け、前記照明ユニットには、前面に前記仕切り板から一定空間を有して半透光性部材を取り付けるとともに、照明が上方に照らされるように配置した複数の発光体と、前記複数の発光体の光を反射する反射板と、前記半透光性部材と複数の発光体との間には、前記発光体の前面方向の光を遮蔽する遮蔽板を設けたことを特徴とするものであり、機器前面の広い面積で発光させることができるため、遠くからでも一目で運転状態が確認でき、外出時のつけっ放しを防止できる。また点火の確認も容易になる。さらに前記複数の発光体が照明ユニットの下部から上方へ向かって発光するため炎のように見え、暖かさを視覚で感じることができる。
【００１１】
また、半透光性部材と前記複数の発光体との間には、前記発光体の光を遮蔽する遮蔽板を設け、視覚上不必要な発光源を隠し、発光体の点灯する箇所をかえることにより、光をより炎のように見せることができ、暖かさを視覚で感じることができる。
【００１２】
請求項２記載の発明は、半透光性部材の裏面に模様をつけることで、発光体の炎のような光りの中に模様を浮かび上がらせることができ、視覚的により暖かさを感じさせることができという効果がある。また、燃焼状態を一目で遠くから確認できるという効果がある。
【００１３】
請求項３記載の発明は、発光体は略水平方向に複数個配置し、中央部を密に、側面に向って疎になるように配置したことを特徴とするものであり、発光体が照明ユニットの外側から中央部に向かって明るくなるため、より炎のように見せることができ、視覚的に暖かさを感じさせることができる。また、燃焼状態を一目で遠くから確認できるという効果がある。
【００１４】
請求項４記載の発明は、複数の発光体で構成する発光ユニットを複数個配列し、中央部に位置する発光ユニットを、他の発光ユニットより高く配置したことを特徴とするものであり、発光体を照明ユニットに山の字型に光らせることができ、より炎のように見せることができ、視覚的に暖かさを感じさせることができる。また、燃焼状態を一目で遠くから確認できるという効果がある。
【００１５】
請求項５記載の発明は、複数の発光体の配置を二分割するとともに、中央部で上方に凸状につき合わせることにより、前記複数の発光体の配置を山型状に配置したもので、発光体を照明ユニットに大きな炎のように見せることができ、視覚的により暖かさを感じさせることができる。また、燃焼状態を一目で遠くから確認できるという効果がある。
【００１６】
請求項６記載の発明は、発光体の配置を二分割するとともに中央部でつき合わせ、前記複数の発光体の配置をＶ字型に配置したもので、発光体をＶ字型に光らせることで、照明ユニット全体により大きな炎が広がっているように見せることができ、視覚的により暖かさを感じさせることができる。また、燃焼状態を一目で遠くから確認できるという効果がある。
【００１７】
【実施例】
以下、本発明の実施例について図面に基づき説明する。
【００１８】
（実施例１）
図１は、本発明の第１の実施例における温風暖房装置の正面図、図２は温風暖房装置の側面断面図である。
【００１９】
図１、図２において、バーナー１にて供給されたガスの燃焼を行う。燃焼により発生した排気ガスと空気を混合する燃焼室２がある。バーナー１の下方には温風３を送出するための対流用ファン４を設けている。対流用ファン４の前方には温風を導くルーバー５を取り付けた温風吹出し口７がある。ケース６の後面には対流用空気を取り入れるための網目状の対流用フィルター８があり、以上の構成で温風暖房部９を形成している。１３は照明ユニットであり、燃焼室２と仕切る仕切り板１１を介してある一定の空間を保って設けられている。１０は通電時に発光する発光体で、照明ユニット１３の下部に、その照明が上方に照らされるように複数個設けられている。１４は反射板であり、仕切り板１１の前方に設けられ、複数の発光体１０の光を、仕切り板１１から一定空間を設けて取付けられた半透光性部材１２に反射させる。また、１５は遮蔽板であり半透光性部材１２と複数の発光体１０との間に設けられている。制御装置１６はバーナー１、対流用ファン４、発光体１０と図の破線で電気的につながっていて、各部品の制御をしている。
【００２０】
以上のように構成された温風暖房装置について、以下その動作・作用について説明する。
【００２１】
バーナー１でガスを燃焼させ、発生する高温の排気ガスと、燃焼室２の燃焼風路内で対流用フィルター８を通過した対流用空気が混合される。混合された温風は、対流用ファン４によって前面下部の温風吹出し口７から温風３になって送出され暖房を行う。また照明ユニット１３は、燃焼時に発光体１０が発光し、その光が反射板１４で反射し、半透光性部材１２を通り拡散する。拡散により光り方を炎のように見せることができる。また、半透光性部材１２と複数の発光体１０との間にある遮蔽板１５により、視覚上不必要な発光源を隠している。
【００２２】
以上のように本実施例においては、照明ユニット１３が機器前面の広い面で発光・拡散し、視覚的に炎のように見せることができ、使用者に視覚で暖かさを感じさせることができる。また、半透光性部材１２と複数の発光体１０との間にある遮蔽板１５により、視覚上不必要な発光源を隠しているため、点灯する箇所をかえることで、照明ユニット１３の発光を視覚的により炎のように見せることができる。また、照明ユニット１３を燃焼と連動させると、遠くからも一目で燃焼していることが確認でき、かつ外出時などの消し忘れ防止等、安全性を高めることができる。
【００２３】
また、半透光性部材の裏面に模様をつけることで、発光体の炎のような光りの中に模様を浮かび上がらせることができ、視覚的により暖かさを感じさせることができる。
【００２４】
（実施例２）
図３は、本発明の第２の実施例における温風暖房装置の正面図である。図３において、発光体１０を略水平線上に配置し、さらにその配置は中央部を密に、かつ照明ユニットの左右の側面に向かって外側を疎にしたものである。発光体が照明ユニットの外側から中央部に向かって明るくなるため、より炎のように見せることができ、視覚的に暖かさを感じさせることができる。また、燃焼状態を一目で遠くから確認できるという効果がある。
【００２５】
（実施例３）
図４は、本発明の第３の実施例における温風暖房装置の正面図である。図４において、１０ａは分割され密に配置された発光体であり、照明ユニットの中央部に位置している。１０ｂおよび１０ｃは分割され疎に配置された発光体であり、各々発光体１０ａの両側に位置している。さらに発光体１０ａはその左右の発光体１０ｂおよび１０ｃより一段高く配置されている。これにより発光体を照明ユニットに山の字型に光らせることができ、より炎のように見せることができ、視覚的に暖かさを感じさせることができる。また、燃焼状態を一目で遠くから確認できるという効果がある。
【００２６】
（実施例４）
図５は、本発明の第４の実施例における温風暖房装置の正面図である。図５において、１０ｄおよび１０ｅは二分割にされた複数の発光体であり、中央部で上方に凸状につき合わせ山型状に配置したものである。発光体を照明ユニットに大きな炎のように見せることができ、視覚的により暖かさを感じさせることができる。また、燃焼状態を一目で遠くから確認できるという効果がある。
【００２７】
（実施例５）
図６は、本発明の第５の実施例における温風暖房装置の正面図である。図６において、１０ｄおよび１０ｅは二分割にされた複数の発光体であり、中央部でつき合わせＶ字型に配置したものである。発光体をＶ字型に光らせることで照明ユニット全体により大きな炎が広がっているように見せることができ、視覚的に暖かさを感じさせることができる。また、燃焼状態を一目で遠くから確認できるという効果がある。
【００２８】
【発明の効果】
以上のように、本発明によれは、機器の前面に照明ユニットを設け、燃焼と連動させて発光体を発光させると、遠くから一目で燃焼していることが確認できるため、点火の確認も容易になり、つけっ放しで外出する等の消し忘れを防止でき、安全性を高めることができる。また、照明ユニットの発光を炎のように見せられるため、疑似火炎により使用者に視覚で暖かさを感じさせることが可能であり、省エネ効果も得ることができる。
【図面の簡単な説明】
【図１】本発明の実施例１における温風暖房装置の正面図
【図２】同温風暖房装置の側面断面図
【図３】本発明の実施例２における温風暖房装置の正面図
【図４】本発明の実施例３における温風暖房装置の正面図
【図５】本発明の実施例４における温風暖房装置の正面図
【図６】本発明の実施例５における温風暖房装置の正面図
【図７】従来例における温風暖房装置の断面図
【符号の説明】
１  バーナー
２  燃焼室
４  対流用ファン
７  温風吹出し口
８  対流用フィルター
１０  発光体
１１  仕切り板
１２  半透光性部材
１３  照明ユニット
１４  反射板
１５  遮蔽板
【図１】
2004360992.tif 000003
【図２】
2004360992.tif 000004
【図３】
2004360992.tif 000005
【図４】
2004360992.tif 000006
【図５】
2004360992.tif 000007
【図６】
2004360992.tif 000008
【図７】
2004360992.tif 000009